(57)【要約】      （修正有）【課題】額縁部を有するトレイの特有の構成を利用して、持ち運びやすくするための把手を形成するとともに、把手使用時の変形を抑制できる把手付きトレイを提供する。【解決手段】底壁の一方の対向辺に側壁２が、他方の対向辺に端壁３がそれぞれ連設され、側壁は、底壁に順次連なる外側板４、額縁部５及び内側板６からなるトレイにおいて、対向する側壁には、外側板から額縁部及び内側板へかけて、対向する端壁３の中間部に位置する下切線１４と、その両端から額縁部５へ至り、内側板６の途中まで達する縦切線１５とに区画された把手片１６が形成され、把手片の根元に基折線１７が入れられ、把手使用状態へ転換する際には、対向する側壁の下切線１４から縦切線１５を切断し、把手片を引き起こし、基折線１７に沿って内側へ折り曲げ、把手片の先端部同士を突き合わせる。【選択図】図１
0003231526.tif 000002
【実用新案登録請求の範囲】
【請求項１】
底壁(1)の一方の対向辺に側壁(2)が、他方の対向辺に端壁(3)がそれぞれ連設され、前記側壁(2)は、前記底壁(1)に順次連なる外側板(4)、額縁部(5)及び内側板(6)からなり、前記外側板(4)が上方へ、前記額縁部(5)が内側へ、前記内側板(6)が下方へ順次折り曲げられ、前記底壁(1)から起立した前記側壁(2)と前記端壁(3)とが連結されて組立形状が維持されるトレイにおいて、
前記対向する側壁(2)には、前記外側板(4)から前記額縁部(5)へかけて、前記対向する端壁(3)の中間部に位置する下切線(14)と、その両端から前記額縁部(5)へ至る縦切線(15)とに区画された把手片(16)が形成されており、
把手使用状態へ転換する際には、前記対向する側壁(2)の下切線(14)から縦切線(15)を切断し、前記把手片(16)を引き起こすことを特徴とする把手付きトレイ。
【請求項２】
前記内側板(6)の端縁には、前記把手片(16)の位置に対応して突起(20)が設けられ、前記底壁(1)の前記側壁(2)に沿った部分には、前記突起(20)が係合する係合穴(21)が開けられていることを特徴とする請求項１に記載の把手付きトレイ。
【請求項３】
請求項１又は２に記載の把手付きトレイにおいて、把手使用状態へ転換する際には、引き起こした前記把手片(16)を内側へ折り曲げ、前記把手片(16)の先端部同士を突き合わせることを特徴とする把手付きトレイ。
【請求項４】
前記把手片(16)を形成する縦切線(15)は、前記内側板(6)の高さ方向の途中まで切り込まれ、前記内側板(6)に前記縦切線(15)の端部間を結ぶ基折線(17)が入れられており、
把手使用状態へ転換する際には、前記把手片(16)を前記基折線(17)に沿って内側へ折り曲げることを特徴とする請求項３に記載の把手付きトレイ。
【考案の詳細な説明】
【技術分野】
【０００１】
この考案は、比較的重い青果物等の物品を収納して、容易に持ち運べるようにした把手付きトレイに関するものである。
【背景技術】
【０００２】
下記特許文献１には、図５に示すように、飲料缶Ｃを複数本まとめて持ち運べるように包装する段ボール製のラップラウンドケースが記載されている。
【０００３】
このラップラウンドケースは、各一対の広い面積の側板５１と狭い面積の側板５２により集積した飲料缶Ｃを包み込み、端面をフラップ５３により閉じる構成とされ、対向する側板５１には、側板５２との境界をなす稜線に並行する下切線５４と、その両端に続いて側板５２へ至る縦切線５５とに区画された把手片５６が形成されている。
【０００４】
このラップラウンドケースを持ち運ぶ際には、対向する側板５１の下切線５４及び縦切線５５を切断し、把手片５６を引き起こして内側へ折り曲げ、把手片５６の先端部同士を突き合わせ、把手片５６に形成された手入穴５７に手を入れて持ち上げる。
【０００５】
また、青果物等の輸送に使用される段ボール製のトレイとして、図６に示すようなものが多用されている。
【０００６】
このトレイは、底壁６１の一方の対向辺に側壁６２が、他方の対向辺に端壁６３がそれぞれ連設され、側壁６２は、底壁６１に順次連なる外側板６４、額縁部６５及び内側板６６からなり、外側板６４が上方へ、額縁部６５が内側へ、内側板６６が下方へ順次折り曲げられ、端壁６３の上端から延びる桟板６７の両端の差込片６８が側壁６２の上部の差込穴６９に差し込まれて、組立形状が維持される構成となっている。
【先行技術文献】
【特許文献】
【０００７】
【特許文献１】実開昭６０−９９２１４号公報
【考案の概要】
【考案が解決しようとする課題】
【０００８】
上述のとおり、図５に示すように、ラップラウンドケースのような箱の一部を切り起こして、持ち運び用の把手を形成する段ボール製の包装容器は既に知られている。
【０００９】
しかしながら、図６に示すような額縁部を有するトレイにおいては、二重構造の側壁を利用して、持ち運び用の把手を形成するものは知られておらず、また、把手を使用して重量のある物品を持ち運ぶ際の変形を抑制する構造は実現されていない。
【００１０】
そこで、この考案は、額縁部を有するトレイの特有の構成を利用して、持ち運びやすくするための把手を形成するとともに、把手使用時の変形を抑制することを課題とする。
【課題を解決するための手段】
【００１１】
上記課題を解決するため、この考案において提供するトレイは、底壁の一方の対向辺に側壁が、他方の対向辺に端壁がそれぞれ連設され、前記側壁は、前記底壁に順次連なる外側板、額縁部及び内側板からなり、前記外側板が上方へ、前記額縁部が内側へ、前記内側板が下方へ順次折り曲げられ、前記底壁から起立した前記側壁と前記端壁とが連結され、
前記対向する側壁には、前記外側板から前記額縁部へかけて、前記対向する端壁の中間部に位置する下切線と、その両端から前記額縁部へ至る縦切線とに区画された把手片が形成されており、
把手使用状態へ転換する際には、前記対向する側壁の下切線から縦切線を切断し、前記把手片を引き起こすものとしたのである。
【００１２】
また、前記把手付きトレイにおいて、前記内側板の端縁には、前記把手片の位置に対応して突起が設けられ、前記底壁の前記側壁に沿った部分には、前記突起に係合する係合穴が開けられているものとしたのである。
【００１３】
また、把手使用状態へ転換する際には、引き起こした前記把手片を内側へ折り曲げ、前記把手片の先端部同士を突き合わせるものとしたのである。
【００１４】
また、前記把手片を形成する縦切線は、前記内側板の高さ方向の途中まで切り込まれ、前記内側板に前記縦切線の端部間を結ぶ基折線が入れられており、
把手使用状態へ転換する際には、前記把手片を前記基折線に沿って内側へ折り曲げるものとしたのである。
【考案の効果】
【００１５】
この考案に係る把手付きトレイでは、額縁部を有する二重構造の側壁の外側板から切り起こして把手片を形成するので、材料の使用面積を増やすことなく、比較的重量のある青果物等を収納した状態で、把手片を把持して持ち運び可能なものとすることができる。
【００１６】
また、把手片に対応する位置で内側板の端縁の突起と底壁の係合穴とを係合させたことにより、把手使用時における内側板の変形や皺の発生が抑制される。
【００１７】
また、把手片を形成する縦切線を内側板の高さ方向の途中まで延長し、内側板に基折線を入れたことにより、把手片の長さが確保され、把手使用時に持ち運びやすくなる。
【図面の簡単な説明】
【００１８】
【図１】この考案の実施形態に係る把手付きトレイの把手使用状態を示す斜視図
【図２】同上の把手付きトレイのブランクを示す図
【図３】同上の組み立てた基本状態を示す斜視図
【図４】同上の把手使用状態への転換過程を示す斜視図
【図５】特許文献１記載のラップラウンドケースの把手使用状態を示す斜視図
【図６】一般的な青果物輸送用の額縁部を有するトレイを示す斜視図
【考案を実施するための形態】
【００１９】
以下、この考案の実施形態を添付図面に基づいて説明する。
【００２０】
（概要）
図１に示す把手付きトレイは、例えばトマトのように、集積すると比較的重くなる青果物等を収納して、持ち運び時に把手を形成する段ボール製のものである。
【００２１】
（ブランク）
この把手付きトレイは、図２に示すような段ボールのブランクから組み立てられる。このブランクは、特記していない限り、各部の境界をなす罫線を、折曲時に段ボールの表面側が突き出す山折線としたものである。
【００２２】
このブランクにおいて、長方形の底壁１の対向する長辺には側壁２が、対向する短辺には端壁３がそれぞれ連設され、側壁２は、底壁１に順次連なる外側板４、額縁部５及び内側板６から構成されている。
【００２３】
外側板４及び内側板６の両側端には、それぞれ折込片７，８が連設され、内側板６と折込片８の境界の罫線は、折曲時に段ボールの表面側が窪むように、段ボールを表面から押圧した押罫線からなる谷折線とされている。
【００２４】
端壁３の先端には桟板９が連設され、桟板９の両側端には、差込片１０が連設されている。額縁部５の両端寄り部分には、組立時に差込片１０が差し込まれる差込穴１１が設けられ、差込穴１１は、外側板４へ切れ込んでいる。
【００２５】
内側板６の端縁の両端寄り部分には、突起１２が設けられ、底壁１には、外側板４との境界の両端寄り部分に係合穴１３が開けられている。
【００２６】
対向する側壁２には、外側板４から額縁部５及び内側板６へかけて、対向する端壁３の中間部に位置して底壁１と外側板４の境界に臨む下切線１４と、その両端から湾曲部を介し額縁部５へ至り、内側板６の途中まで達する縦切線１５とに区画された把手片１６が形成されている。
【００２７】
下切線１４は、段ボールが全長にわたって切断された直線の切目線とされている。縦切線１５は、切目と繋部が交互に断続するものとされ、縦切線１５の直線部のうち、外側板４に位置する部分は、鉤状の切目が断続するジッパー型の切目線とされている。
【００２８】
内側板６には、把手片１６の折り曲げの軸となるように、縦切線１５の端部間を結ぶ基折線１７が入れられている。基折線１７は、段ボールを表面から押圧した押罫線からなる谷折線とされている。
【００２９】
把手片１６には、持ち運び時に先端側となる下切線１４寄りの部分に、基折線１７に平行する先折線１８が入れられている。
【００３０】
また、一方の把手片１６には、先折線１８を分断する中間部に、山形状をなす手入穴１９が穿設され、他方の把手片１６には、押し込みに伴い手入穴１９を形成し、把持時に段ボールの切断面が手指に当たらないようにするための一対の押込片１９ａが設けられている。押込片１９ａの根元には、２本の谷折線が入れられている。
【００３１】
内側板６の端縁の中間部には、把手片１６の位置に対応して突起２０が設けられ、底壁１の外側板４との境界の下切線１４に沿った中間部には、把手片１６の位置に対応して係合穴２１が開けられている。
【００３２】
（基本状態への組み立て）
上記ブランクを組み立てて青果物等を収納する際には、図３に示すように、底壁１から外側板４を上方へ、額縁部５を内側へ、内側板６を下方へ順次折り曲げ、突起１２，２０をそれぞれ係合穴１３，２１に係合させ、外側板４及び内側板６からそれぞれ折込片７，８を内側へ折り曲げて、折込片７に沿うように端壁３を起立させ、端壁３から桟板９を内側へ折り曲げ、桟板９から差込片１０を下方へ折り曲げて差込穴１１に差し込む。
【００３３】
このように組み立てた基本状態では、長さ方向の側壁２が全長にわたり二重構造をなすことから、堅牢な構造となり、収納した青果物等が確実に保護されるほか、天面が平坦で桟板９を有するので、流通過程での輸送時や保管時に積み重ねておくことができ、積上状態で安定するものとなる。
【００３４】
（把手使用状態への転換）
一方、青果物等の購入者がこのトレイを持ち運ぶため、基本状態から把手使用状態へ転換する際には、図４に示すように、対向する側壁２の下切線１４から縦切線１５を切断して、把手片１６を引き起こす。
【００３５】
その後、図１に示すように、把手片１６を基折線１７に沿って内側へ折り曲げ、先折線１８に沿って折り曲げることにより、把手片１６の先端部同士を突き合わせ、一方の把手片１６の押込片１９ａを他方の把手片１６の手入穴１９に押し込んで、把手片１６の先端部同士を固定する。これにより、把手使用状態への転換が完了する。
【００３６】
（効果）
上記のような把手付きトレイでは、額縁部５を有する二重構造の側壁２の外側板４から切り起こして把手片１６を形成するので、材料である段ボールの使用面積を増やすことなく、比較的重量のある青果物等を収納した状態で、把手片１６を把持して持ち運び可能なものとすることができる。
【００３７】
また、把手片１６に対応する位置で内側板６の端縁の突起２０と底壁１の係合穴２１とを係合させたことにより、把手片１６を使用して持ち上げたとき、外側板４の把手片１６が抜け出した部分において、これに対応する内側板６の部分に青果物等の荷重が集中しても、内側板６が撓みにくくなり、内側板６の変形や皺の発生が抑制される。
【００３８】
また、把手片１６を形成する縦切線１５を内側板６の高さ方向の途中まで延長し、内側板６に基折線１７を入れたことにより、把手片１６の長さが確保され、把手片１６の使用時に持ち運びやすくなる。
【００３９】
（その他）
なお、上記実施形態では、側壁２のみが額縁部５を有するものを例示したが、端壁３もまた額縁部を有するトレイにおいても、上述したものと同様の把手片１６の切り起こし構造を採用することができる。
【００４０】
また、下切線１４が底壁１と外側板４の境界に一致するものを例示したが、下切線１４は、底壁１と外側板４の境界から上方へ離れていてもよい。
【００４１】
また、係合穴２１の開口縁が底壁１と外側板４の境界に一致するものを例示したが、係合穴２１は、底壁１と外側板４の境界から内側へ離れていてもよい。
【符号の説明】
【００４２】
１  底壁
２  側壁
３  端壁
４  外側板
５  額縁部
６  内側板
７，８  折込片
９  桟板
１０  差込片
１１  差込穴
１２  突起
１３  係合穴
１４  下切線
１５  縦切線
１６  把手片
１７  基折線
１８  先折線
１９  手入穴
１９ａ  押込片
２０  突起
２１  係合穴
【図１】
0003231526.tif 000003
【図２】
0003231526.tif 000004
【図３】
0003231526.tif 000005
【図４】
0003231526.tif 000006
【図５】
0003231526.tif 000007
【図６】
0003231526.tif 000008